(57)【要約】【課題】ユーザーに違和感を与えることなく、良好な画像を得ることができる撮影画像処理方法を提供する。【解決手段】デジタルカメラ２は、撮影した画像をＬＣＤ１４に自動再生表示した後、信号処理回路１６により画像データに歪み補正を施し、歪み補正後の画像データをメモリカード１３に記憶する。撮り込み画像の表示までの時間が短縮され、再生時には歪み補正が施された画像が表示されるので、ユーザーに違和感を与えることなく、良好な画像を得ることができる。【選択図】　　　　図２
2004147113.tif 000002
【特許請求の範囲】
【請求項１】
撮像レンズを通して被写体を撮影する撮像手段と、撮影した画像を表示する画像表示手段と、画像データを記憶する記憶手段と、画像データに歪み補正を施す信号処理手段とを備え、前記撮像手段で撮影した画像を、撮影直後に前記画像表示手段に自動再生表示するデジタルカメラの撮影画像処理方法において、
前記自動再生表示後、前記信号処理手段により画像データに歪み補正を施し、歪み補正後の画像データを前記記憶手段に記憶することを特徴とする撮影画像処理方法。
【請求項２】
前記撮像レンズのズーム比に応じて電気的な歪み補正をすることを特徴とする請求項１に記載の撮影画像処理方法。
【発明の詳細な説明】
【０００１】
【発明の属する技術分野】
本発明は、デジタルカメラの撮影画像処理方法に関する。
【０００２】
【従来の技術】
ＣＣＤイメージセンサなどで撮像した被写体画像をデジタルの画像データに変換し、内部メモリやメモリカードなどの記憶媒体に保存するデジタルカメラが普及している。現在市販されているデジタルカメラには、画像を表示する液晶表示器が設けられており、撮影した画像をその場で鑑賞することができる。
【０００３】
現状、デジタルカメラでは、装置の小型化が重要な課題となっており、この課題を解決するための対策として、例えば小型、且つ薄型の撮像レンズを用いている。しかしながら、このような撮像レンズを用いると、一般的に光学歪みが激しくなり、撮影した画像が、図３（Ａ）に破線で示す格子状の被写体に対して実線で示す樽型、あるいは（Ｂ）に示す糸巻型に歪んでしまうという問題が生じる。
【０００４】
上記のような問題に対して、撮影後にパーソナルコンピュータなどの画像処理システムを用いて歪み補正を施す方法（特許文献１および２参照）や、デジタルカメラ本体で歪み補正を行うもの（特許文献３参照）が提案されている。
【０００５】
【特許文献１】
特開２０００−３４３７号公報
【特許文献２】
特公平５−１５１１１号公報
【特許文献３】
特開２００１−５９５６号公報
【０００６】
【発明が解決しようとする課題】
しかしながら、特許文献１および２に記載される方法では、液晶表示器で画像を再生する際には歪み補正が行われておらず、ユーザーに画像の歪みを認識されてしまうため、ユーザーの製品に対するイメージが悪くなるおそれがある。一方、特許文献３に記載されるカメラでは、撮影後の画像データに歪み補正を施す時間がある程度必要となるため、近年特に要求されている撮影間隔の短縮を図るうえで障害となる可能性がある。
【０００７】
また、デジタルカメラには、ＣＣＤイメージセンサに撮り込んだ後の画像を撮影直後に液晶表示器に自動再生表示するものがある。しかしながら、このようなデジタルカメラの場合、歪み補正に時間を費やすと、その分撮り込み画像の再生表示が遅れてしまい、ユーザーに違和感を与えてしまう。
【０００８】
本発明は、ユーザーに違和感を与えることなく、良好な画像を得ることができる撮影画像処理方法を提供することを目的とする。
【０００９】
【課題を解決するための手段】
上記目的を達成するために、本発明は、撮像レンズを通して被写体を撮影する撮像手段と、撮影した画像を表示する画像表示手段と、画像データを記憶する記憶手段と、画像データに歪み補正を施す信号処理手段とを備え、前記撮像手段で撮影した画像を、撮影直後に前記画像表示手段に自動再生表示するデジタルカメラの撮影画像処理方法において、前記自動再生表示後、前記信号処理手段により画像データに歪み補正を施し、歪み補正後の画像データを前記記憶手段に記憶することを特徴とする。
【００１０】
なお、前記撮像レンズのズーム比に応じて電気的な歪み補正をすることが好ましい。
【００１１】
【発明の実施の形態】
図１に、本発明を実施したデジタルカメラの内部構成の概略を示す。デジタルカメラ２の撮像レンズ１０は、主レンズと、この主レンズの光軸上を移動する移動レンズ（ともに図示せず）とからなるズームレンズである。移動レンズは、テレ側からワイド側に例えば１０段階のズーム切替が可能となっている。また、主レンズには、ズーム比に応じた光学歪み量が既知のものが用いられる。
【００１２】
撮像レンズ１０の背後には、受光面に結像した被写体光を光電変換するＣＣＤイメージセンサ（ＣＣＤ）１１が配置されている。ＣＣＤ１１で撮像したアナログの撮像信号は、Ａ／Ｄ変換器１２でデジタルの画像データに変換される。ＣＣＤ１１は、図示しないレリーズボタンが押下されたときに、メモリカード１３へ記録する本画像データとともに、撮影直後に画像を液晶表示器（ＬＣＤ）１４に自動再生表示するための再生表示用画像データの撮り込みを行う。再生表示用画像データは、後述する信号処理回路１６で簡単な画像処理が施された後、ＬＣＤ１４に数秒間表示される。
【００１３】
システムコントローラ１５は、信号処理回路１６、画像圧縮回路１７などから構成され、操作部（図示せず）からの入力信号に基づいて、デジタルカメラ２の各部を統括的に制御する。このシステムコントローラ１５には、データバス１８を介してＲＡＭ１９およびＲＯＭ２０が接続されている。なお、操作部は、電源ボタン、レリーズボタン、動作モードを切り換えるモード選択ダイヤル、ズーム操作や再生コマの切り換えに使用される十字キーなどの各種操作キーからなる。また、モード選択ダイヤルによって選択される動作モードとしては、撮影を行う撮影モード、撮影画像を再生する再生モード、各種設定を行うセットアップモードなどがある。
【００１４】
ＲＯＭ２０には、各種制御用のプログラムや設定情報などが記録されている。システムコントローラ１５は、これらの情報をＲＯＭ２０から作業用メモリであるＲＡＭ１９に読み出して各種の処理を実行する。なお、ＲＡＭ１９としては、例えばＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）が使用される。
【００１５】
Ａ／Ｄ変換器１２によりデジタル化された画像データは、ＲＡＭ１９に一旦記録される。信号処理回路１６は、ＲＡＭ１９に書き込まれた画像データに対して、γ補正、ホワイトバランス補正、シャープネス補正などの各種信号処理を施す。また、信号処理回路１６は、ＲＧＢで表される撮像信号を輝度信号Ｙと色差信号Ｃｒ、Ｃｂとに変換するＹＣ処理を施し、例えば特許文献１〜３に記載される方法を用いて画像データに歪み補正処理を施す。この歪み補正処理は、再生表示用画像データがＬＣＤ１４に数秒間表示された後行われる。また、信号処理回路１６は、撮像レンズ１０のズーム比に応じて電気的な歪み補正を行う。すなわち、ズーム比がワイド側からテレ側になるにつれて歪み補正パラメータを増加させ、より適切な歪み補正を施す。
【００１６】
画像圧縮回路１７は、歪み補正処理後の画像データに所定の圧縮形式、例えばＪＰＥＧ形式で圧縮処理を施す。圧縮処理された画像データは、メモリカード１３に本画像データとして記録される。
【００１７】
次に、上記実施形態による作用について、図２のフローチャートを参照して説明する。デジタルカメラ２で被写体を撮影する際には、まず、ＡＥ、ＡＦ制御などの撮影前処理を行い、適正な絞り値および露光時間で被写体画像をＣＣＤ１１に露光する。次に、露光された画像をＡ／Ｄ変換器１２によりデジタル変換してＲＡＭ１９に書き込む。
【００１８】
ＲＡＭ１９に書き込まれた画像データに対して、信号処理回路１６でＹＣ処理を含む各種信号処理を施す。そして、露光時に撮り込んだ再生表示用画像データに信号処理回路１６で簡単な画像処理を施し、ＬＣＤ１４に数秒間表示する。
【００１９】
撮り込み画像の表示後、信号処理された画像データに、撮像レンズ１０のズーム比に応じた補正パラメータで電気的な歪み補正処理を施す。歪み補正処理後の画像データを画像圧縮回路１７で圧縮し、メモリカード１３に記録する。なお、撮影終了後、再生モードにて画像の再生を行う際には、歪み補正処理後の画像データがメモリカード１３から読み出され、ＬＣＤ１４に表示される。
【００２０】
上記のような構成であると、撮り込み画像の表示までの時間が短縮され、再生時には歪み補正が施された画像が表示されるので、ユーザーに煩わしさを感じさせることがなく、ユーザーの製品に対するイメージが悪化するおそれがない。
【００２１】
【発明の効果】
以上のように、本発明の撮影画像処理方法によれば、自動再生表示後、信号処理手段により画像データに歪み補正を施し、歪み補正後の画像データを記憶手段に記憶するので、ユーザーに違和感を与えることなく、良好な画像を得ることができる。
【図面の簡単な説明】
【図１】本発明を実施したデジタルカメラの内部構成の概略を示すブロック図である。
【図２】デジタルカメラの画像処理手順を示すフローチャートである。
【図３】撮像レンズの光学歪みにより撮影画像に歪みが生じた状態を示す図であり、（Ａ）は樽型、（Ｂ）は糸巻型の歪みが生じた状態をそれぞれ示す。
【符号の説明】
２　デジタルカメラ
１０　撮像レンズ
１１　ＣＣＤイメージセンサ（ＣＣＤ）
１３　メモリカード
１４　液晶表示器（ＬＣＤ）
１５　システムコントローラ
１６　信号処理回路
【図１】
2004147113.tif 000003
【図２】
2004147113.tif 000004
【図３】
2004147113.tif 000005